(57)【要約】【課題】  手作業による紙コース及び面割表示の入力の手間を省くことができる新聞輪転機における面割設定方法を提供する。【解決手段】  輪転機の機械構成に基づいて、印刷部から送り出された用紙の各々について、選択可能な紙コースの条件を予め設定し、紙面構成に基づいて、多色印刷を行う頁を決定するステップＳ１と、多色印刷を行う頁を含む半幅又は全幅の用紙を、一の紙コースを選択して割り付けるステップＳ３と、他の紙コースの中から、単色印刷を行う他の用紙の各々について紙コースを選択するステップＳ４と、各用紙の紙コース上で、一の用紙が他の用紙と干渉しないかどうかを判断するステップＳ７と、干渉しないと判断したときに、当該紙コースを、各用紙の紙コースとして決定するステップＳ８と、決定された紙コースと、この紙コースを通る用紙の重なり順とから前記新聞の面割を決定するステップとを有する。【選択図】      図２
2005074770.tif 000002
【特許請求の範囲】
【請求項１】
複数の給紙部と、この給紙部から供給された用紙の片面又は両面に印刷を行う印刷部と、この印刷部の一部に設けられた多色印刷を行う印刷部と、前記用紙の紙コースを決定するレールフレーム部と、このレールフレーム部の近傍に設けられ、必要に応じて前記レールフレーム部でスリッターナイフにより二分された新聞紙を重ね合わせ、折り畳んで新聞を形成する折り部とを有する輪転機における面割の自動設定方法において、
前記給紙部にセットされる巻き取り紙の種類、前記印刷部の機械構成及び前記レールフレーム部の機械構成に基づき、前記印刷部から送り出された用紙の各々について、選択可能な紙コースの条件を予め設定するステップと、
紙面構成に基づいて、多色印刷を行う頁を決定するステップと、
多色印刷を行う頁を含む半幅又は全幅の用紙を、一の紙コースを選択して割り付けるステップと、
前記一の紙コースを除く他の紙コースの中から、単色印刷を行う他の用紙の各々について紙コースを選択するステップと、
各用紙の紙コース上で、一の用紙が他の用紙と干渉しないかどうかを判断するステップと、
この判断の結果、干渉しないと判断したときに、当該紙コースを、各用紙の紙コースとして決定するステップと、
決定された紙コースと、この紙コースを通る用紙の重なり順とから前記新聞の面割を決定するステップと、
を有することを特徴とする輪転機における面割の自動設定方法。
【請求項２】
前記紙コースの条件を予め設定するステップにおいて、ベィウィンドによって紙コースの変更を行う用紙として、多色印刷を行った用紙のＧＳ紙を優先させることを特徴とする請求項１に記載の輪転機における面割の自動設定方法。
【請求項３】
前記給紙部及び／又は前記印刷部と、前記印刷部からレールフレーム部を通過する用紙及び／又は各用紙に割り付けられる頁とを関連付けて画面に表示させるステップと、
この画面上で、多色印刷を行う頁を含む用紙を、多色印刷を行うための前記給紙部及び／又は前記印刷部に相対的に移動させるように操作を促すステップと、
多色印刷を含む用紙を多色印刷を行うための前記給紙部及び／又は前記印刷部に割り付けたときに、他の用紙を紙コースに応じた組み合わせで前記画面上に表示させるステップと、
を有することを特徴とする請求項１又は２に記載の輪転機における面割の自動設定方法。
【請求項４】
多色印刷を含む用紙を多色印刷を行うための前記給紙部及び／又は前記印刷部に割り付ける際に、前記画面上で隣接する用紙を順送りさせることを特徴とする請求項３に記載の輪転機における面割の自動設定方法。
【請求項５】
前記紙コースと前記用紙との組み合わせから、前記給紙部にセットする巻き取り紙の種類を決定することを特徴とする請求項３又は４に記載の輪転機における面割の自動設定方法。
【請求項６】
前記レールフレーム部に全幅のベィウィンドが含まれている場合において、前記用紙の全幅を指定して移動させることができるように、前記画面上に操作画面を表示しておき、多色印刷を行う頁を含む用紙を、前記多色印刷を行う印刷部に相対的に移動させる際に、前記用紙の全幅を指定して移動させることを特徴とする請求項３〜５のいずれかに記載の輪転機における面割の自動設定方法。
【請求項７】
請求項１〜６のいずれかに記載のステップによって前記面割を決定した際に、決定された前記面割を登録し、
前記面割の変更を行う際に、登録された前記面割の中から同一の面割のものを検索して、同一の面割のものが発見されたときに、当該面割を変更後の面割として決定すること、
を特徴とする面割の自動設定方法。
【請求項８】
複数の給紙部と、この給紙部から供給された用紙の片面又は両面に印刷を行う印刷部と、この印刷部の一部に設けられた多色印刷を行う印刷部と、前記用紙の紙コースを決定するレールフレーム部と、このレールフレーム部の近傍に設けられ、必要に応じて前記レールフレーム部でスリッターナイフにより二分された新聞紙を重ね合わせ、折り畳んで新聞を形成する折り部とを有する輪転機の面割設定プログラムにおいて、
紙面構成に基づいて決定された多色印刷頁情報に従い、多色印刷を行う頁を含む半幅又は全幅の用紙を、複数の紙コースの中から一の紙コースを選択して割り付ける処理と、
前記一の紙コースを除く他の紙コースの中から、単色印刷を行う他の用紙の各々について紙コースを選択して割り付ける処理と、
用紙の各々について予め設定された紙コース条件情報に従って、選択された紙コース上で、一の用紙が他の用紙と干渉しないかどうかを判断する処理と、
この判断処理の結果、全ての用紙について選択された全ての紙コースについて干渉が生じないと判断したときに、当該紙コースを、各用紙の紙コースとして決定する処理と、
決定された紙コースと、この紙コースを通る用紙の重なり順とから前記新聞の面割を決定する処理とを実行すること、
を特徴とする輪転機の面割設定プログラム。
【請求項９】
前記給紙部及び／又は前記印刷部と、前記印刷部からレールフレーム部を通過する用紙及び／又は各用紙に割り付けられる頁とを関連付けて画面に表示させる処理と、
前記画面上に、多色印刷を行う頁を含む用紙を、多色印刷を行うための前記給紙部及び／又は前記印刷部に相対的に移動させるための操作画面を表示させる処理と、
多色印刷を含む用紙を多色印刷を行うための前記給紙部及び／又は前記印刷部に割り付けたときに、他の用紙を紙コースに応じた組み合わせで前記画面上に表示させる処理と、
前記紙コースと前記用紙との組み合わせから、前記給紙部にセットする巻き取り紙の種類を決定する処理と
を実行することを特徴とする請求項８に記載の輪転機の面割設定プログラム。
【発明の詳細な説明】
【技術分野】
【０００１】
本発明は、輪転機の面割を自動的に設定する面割の自動設定方法及びそのプログラムに関し、特に、オペレータが紙面構成に基づいて多色印刷を行う頁の設定を行うだけで、面割を自動設定することのできる輪転機における面割の自動設定方法及びそのプログラムに関する。
【背景技術】
【０００２】
近年新聞の多色印刷面が増加する傾向にあり、多色印刷が可能な印刷部を複数備えた輪転機が普及してきている。
図１５に、新聞の印刷に使用されている輪転機の一例を示す。
輪転機１は、ローラ状の巻き取り紙から用紙を供給する複数の給紙部２と、この給紙部から供給された用紙の片面又は両面に印刷を行う複数の印刷部Ｔ５，Ｐ４，Ｐ３，Ｐ２，Ｔ１と、この印刷部Ｔ５，Ｐ４，Ｐ３，Ｐ２，Ｔ１で印刷された用紙の紙コースを決定するレールフレーム部１０と、このレールフレーム部１０を通過した用紙を集めて重ね合わせるガイドローラ部６と、このガイドローラ部６を経て重ね合わされた用紙を所定寸法に断裁して折り畳む折り部７とを有している。
【０００３】
このような輪転機においては、印刷開始前の準備段階で、紙通しと面割とを行う。
紙通しは、新聞を構成する紙面の総頁数及び多色面情報から、図１４に示すような色面構成表によって紙通しパターンＮＯを探し出し、そのパターンＮＯに相当する紙コースを探して、巻き取り紙を準備し、紙通しを行う。前記した色面構成表は、輪転機を製造するメーカー等が、輪転機の機械構成に応じて、輪転機ごとに作成し、ユーザーに提供している。
【０００４】
図１４に示すような色面構成表を使って、例えば、紙面の１頁〜８頁のいずれか、及び３３頁〜４０頁のいずれかに多色印刷を行う場合は、パターン１を利用し、このパターン１に相当する紙コースを探して、紙通しを行う。
一方、どの用紙にどの頁を割り付けるかという面割については、上流工程の熟練者が輪転機の全体配列から図１４の色面構成表及び図１５の紙コース図に基づいて、その後の印刷に適応した面割表を作成している。あるいは、オペレータが、ＰＣＳ（新聞輪転機コンソールシステム）へ任意のパターンＮＯを登録し、その登録されたパターンＮＯに対して、同様に色面構成表及び紙コース図に基づいて、紙コースと面割情報を手作業によって入力・登録している。
一つの印刷が終わり、その次に形態の異なる印刷をする場合や、印刷途中で頁数変更や多色印刷面の変更があった場合には、同様な操作を行って、紙通しと面割とを行う必要があるが、その都度上記の作業を繰り返さなければならず、オペレータ等の作業者の負担になっていた。
【０００５】
なお、このようなオペレータ等の作業負担軽減のため、複数の紙コースにそれぞれに対応するコンペンセータローラをコンピュータに記憶させておき、操作盤の押釦の配列順序と用紙の重なり順序とを紙コースに応じて常に所定の関係になるように、押釦とコンペンセータローラとを自動的に選択接続する技術（特許文献１）や、紙コースを示す表示を行う表示装置に関する技術（特許文献２）等が種々提案されている。
【０００６】
【特許文献１】実開平３−３１５４５号公報
【特許文献２】特開平１−２２５５５７号公報
【発明の開示】
【発明が解決しようとする課題】
【０００７】
しかし、上記特許文献１，２に記載されたいずれの技術も、用紙のそれぞれがＨＳ紙なのか、ＧＳ紙なのか、あるいはベィウィンド紙なのかの判断はオペレータ等に委ねられていて、用紙のそれぞれについて正確な紙コースを迅速かつ的確に判断できるものではない。
【０００８】
本発明は、このような問題を解決するために提案されたものであり、上記のような熟練者による面割表の作成作業を無くし、従来のＰＣＳでの手作業による紙コース及び面割表示の入力の手間を省くことができる新聞輪転機における面割設定方法及びそのプログラムの提供を目的とする。
【課題を解決するための手段】
【０００９】
本発明の発明者は、輪転機の機械構成、すなわち、多色印刷を行う印刷部と通常の印刷を行う印刷部及び折機との配置関係やレールフレーム部のターンバー、コンペンセータ、ベィウィンドなどの数や配置によって、新聞紙の紙面のどの頁に多色印刷面を入れることができるか規制される点に着眼し、データベースとして給紙部から印刷部（多色刷部、単色印刷部）、レールフレーム部及び折機の構成を基にそれぞれの用紙が選択可能な紙コースの条件を予め設定することで、上記目的を達成することができることに想到した。
【００１０】
具体的に請求項１に記載の発明は、複数の給紙部と、この給紙部から供給された用紙の片面又は両面に印刷を行う印刷部と、この印刷部の一部に設けられた多色印刷を行う印刷部と、前記用紙の紙コースを決定するレールフレーム部と、このレールフレーム部の近傍に設けられ、必要に応じて前記レールフレーム部でスリッターナイフにより二分された新聞紙を重ね合わせ、折り畳んで新聞を形成する折り部とを有する輪転機の面割設定方法において、前記給紙部にセットされる巻き取り紙の種類、前記印刷部の機械構成及び前記レールフレーム部の機械構成に基づき、前記印刷部から送り出された用紙の各々について、選択可能な紙コースの条件を予め設定するステップと、紙面構成に基づいて、多色印刷を行う頁を決定するステップと、多色印刷を行う頁を含む半幅又は全幅の用紙を、一の紙コースを選択して割り付けるステップと、前記一の紙コースを除く他の紙コースの中から、単色印刷を行う他の用紙の各々について紙コースを選択するステップと、各用紙の紙コース上で、一の用紙が他の用紙と干渉しないかどうかを判断するステップと、この判断の結果、干渉しないと判断したときに、当該紙コースを、各用紙の紙コースとして決定するステップと、決定された紙コースと、この紙コースを通る用紙の重なり順とから前記新聞の面割を決定するステップとを有する
方法である。
【００１１】
この方法によれば、各用紙ごとに選択可能な紙コースの条件を予め設定しておく。なお、この紙コースの条件は、輪転機の種類、レールフレーム部と印刷部との配置関係等の機械構成によって、個別に決定される。
どの頁に多色印刷を行うかは、上流工程より提供される新聞構成（印刷情報を含む）から判断することができる。多色印刷を行う頁が決定されれば、当該頁が含まれる用紙が決定されるから、多色印刷を行った用紙を、当該頁を含む用紙の紙コースに割り込ませる。他の用紙については、必要に応じて紙コースを移動させる。このとき、一の用紙の紙コースと他の用紙の紙コースが干渉しないかどうかを判断し、干渉を生じる場合は、別の紙コースの選択を試みる。紙コースが決定されれば、この紙コースと用紙の重なり順とから面割を決定する。
なお、紙コースの条件設定の際には、テンションの安定したストレート紙であるＨＳ紙は、なるべく紙コースを変更しないことが好ましい。そこで、請求項２に記載するように、ベィウィンドによって紙コースの変更を行う用紙として、多色印刷を行った用紙のＧＳ紙を優先させるようにするとよい。
【００１２】
請求項３に記載の発明は、前記給紙部及び／又は前記印刷部と、前記印刷部からレールフレーム部を通過する用紙及び／又は各用紙に割り付けられる頁とを関連付けて画面に表示させるステップと、この画面上で、多色印刷を行う頁を含む用紙を、多色印刷を行うための前記給紙部及び／又は前記印刷部に相対的に移動させるように操作を促すステップと、多色印刷を含む用紙を多色印刷を行うための前記給紙部及び／又は前記印刷部に割り付けたときに、他の用紙を紙コースに応じた組み合わせで前記画面上に表示させるステップとを有する方法としてある。
この場合、請求項４に記載するように、多色印刷を含む用紙を多色印刷を行うための前記給紙部及び／又は前記印刷部に割り付ける際に、前記画面上で隣接する用紙を順送りさせるようにするとよい。
この方法によれば、例えば、基本となる標準紙コース（標準面割）における通常印刷の用紙の位置を多色印刷の用紙の位置まで移動させる際に、当該用紙の移動による空きを埋めるように、他の用紙を順送りしながらずらしていく。このようにすることで、オペレータは、上流工程から提供される新聞構成に従って、多色印刷を行う頁を含む用紙を、多色印刷を行う印刷部に割り付けるだけで、簡単に用紙の紙コースを設定することができる。そのため、オペレータの熟練度に関係なく、迅速かつ正確に面割の変更作業を行うことができる。
【００１３】
また、本発明においては、請求項５に記載するように、前記紙コースと前記用紙との組み合わせから、前記給紙部にセットする巻き取り紙の種類を決定することができるようになる。
なお、レールフレーム部に全幅のベィウィンドが含まれていることを条件に、請求項６に記載するように、前記用紙の全幅を指定して移動させることができるように、操作画面に表示しておき、多色印刷を行う頁を含む用紙を、多色印刷を行う印刷部に相対的に移動させる際に、前記用紙の全幅を指定して移動させることができる。
また、請求項７に記載するように、請求項１〜６に記載のステップによって各前記用紙の面割を決定した際に、前記面割の変更を行う際に、登録された前記面割の中から同一の面割のものを検索して、同一の面割のものが発見されたときに、当該面割を変更後の面割として決定するようにするとよい。
このようにすることで、同一の紙面構成の新聞を印刷する際に、過去のデータを用いて紙コースや面割を迅速に決定することができ、便利である。
上記の方法は、請求項８に記載したプログラムを、輪転機の制御装置にインストールして実行させることで可能になる。また、請求項３以下の方法は、請求項９に記載したプログラムを実行させることで可能になる。
【発明の効果】
【００１４】
以上のように、本発明によれば、熟練者による面割表の作成作業を無くし、従来のＰＣＳでの手作業による紙コース及び面割表示の入力の手間を省くことができ、オペレータの熟練度に関係なく、印刷しようとする新聞構成に基づいて簡単、迅速かつ正確に紙コースを決定し、適正な面割を得ることができる。また、紙面を構成する総頁数が変わっても、使用する給紙部及び各給紙部にセットする巻き取り紙の種類を簡単に判断することができるようになる。
【発明を実施するための最良の形態】
【００１５】
発明の実施の形態
以下、本発明の好適な実施形態を、図面を参照しながら詳細に説明する。
なお、以下で説明する輪転機は、図１５に示した輪転機と同一構成のものとする。
［紙コースの条件設定の説明］
図１は、給紙部２（図１５参照）から印刷部Ｔ５，Ｐ４，Ｐ３，Ｐ２，Ｔ１を経て送り出された用紙が選択可能な紙コースを示す図で、レールフレーム部１０の拡大図である。
印刷部Ｔ５，Ｐ４，Ｐ３，Ｐ２から送り出された用紙（説明の便宜上、印刷部と同じ符号を用い、用紙Ｔ５，Ｐ４，Ｐ３，Ｐ２と記載する）は、この輪転機の機械構成上、上から用紙Ｔ５，Ｐ４，Ｐ３，Ｐ２の順で、レールフレーム部１０に導入される。レールフレーム部１０の導入側には、図示しないスリッタが設けられ、このスリッタによって、用紙Ｔ５，Ｐ４，Ｐ３，Ｐ２のそれぞれが、ＨＳ紙とＧＳ紙の二つに分断される。
【００１６】
この輪転機においては、レールフレーム部１０の用紙導入側（図１の左側）に、上から順に、符号１０１〜１０７で示す七つのターンバーが準備され、各ターンバー１０１〜１０７の導入側と導出側には、分断された用紙Ｔ５，Ｐ４，Ｐ３，Ｐ２のＨＳ紙とＧＳ紙とを案内するガイドローラ１１１，１１２が設けられている。なお、図示はしないが、各ターンバー１０１〜１０７と組み合わせてベィウィンドローラが設けられ、多色印刷された用紙Ｔ５（又は用紙Ｔ１）のＧＳ紙及びＨＳ紙のいずれか一方又は両方の紙コースを変えて、任意のターンバー１０２〜１０７の位置に割り込ませることができるようになっている。
【００１７】
ターンバー１０１〜１０７の下流側には、上から順に、符号１２１〜１３１で示す十一個のコンペセーターが設けられている。各コンペンセータ１２１〜１３１の導入側と導出側には、各用紙Ｔ５，Ｐ４，Ｐ３，Ｐ２のＨＳ紙及びＧＳ紙を案内するガイドローラ１１３，１１４が設けられている。
コンペンセータ１２１〜１３１から導出された用紙Ｔ５，Ｐ４，Ｐ３，Ｐ２のＨＳ紙及びＧＳ紙は、ガイドローラ１１５，１１６を経て、折り部に導かれる。
【００１８】
また、印刷部Ｔ５，Ｐ４，Ｐ３，Ｐ２に対して折り部の反対側にある多色印刷の印刷部Ｔ１から送り出された用紙Ｔ１は、図示しないスリッタによってＧＳ紙、ＨＳ紙の二つに分断され、図示しないターンバー、コンペンセータを経て、ガイドローラ１１７，１１８によって他の用紙Ｔ５，Ｐ４，Ｐ３，Ｐ２と合流し、折り部に導かれる。
【００１９】
さらに、この実施形態の輪転機では、スリッタによって切断される前の用紙Ｔ５の全幅を移動させる全幅用のベィウィンドと、スリッタによって切断された用紙Ｔ５，Ｔ１のＨＳ紙、ＧＳ紙のそれぞれを移動させることのできるＨＳ紙用のベィウィンド及びＧＳ紙用のベィウィンドとを有している。前記した全幅用のベィウィンドは、レールフレーム部１０のスリッタよりも上流に設けられ、半幅紙用の二つのベィウィンド（ＨＳ紙用のベィウィンド及びＧＳ紙用のベィウィンド）は、ターンバーに対して同じ側に設けられているものとする。
【００２０】
図１（ｂ）は、新聞の構成を示す図で、用紙Ｔ５，Ｐ４，Ｐ３，Ｐ２，Ｔ１と紙面の頁番号との関係を示す図である。
図１（ｂ）に示す新聞は、１０枚の用紙（便宜上、図面右側の紙面から順に(1)〜(10)の番号を付す）からなる４０頁版で、最大１６頁の多色印刷が可能な構成となっている。なお、各用紙の下に付した符号Ｈ，Ｇは、ＨＳ紙、ＧＳ紙を示している。
図１（ｂ）に示す新聞は、基本となる標準紙コース（標準面割）のもので、この紙コースを経たものは、１頁〜８頁と３３頁〜４０頁、つまり、(1)番目〜(4)番目の用紙に多色印刷が可能である。
【００２１】
図１（ａ）の紙コース図及び図１（ｂ）の新聞構成においては、説明の便宜上、用紙Ｔ５，Ｐ４，Ｐ３，Ｐ２，Ｔ１の区別を線種の違いで表している。図１（ａ）に示すように、この標準面割では、多色印刷の用紙Ｔ１のＨＳ紙とＧＳ紙が(1)番目と(2)番目に、多色印刷の用紙Ｔ５のＨＳ紙とＧＳ紙が(3)番目と(4)番目になっている。また、単色印刷の用紙Ｐ４のＨＳ紙とＧＳ紙が(5)番目と(6)番目に、単色印刷の用紙Ｐ３のＨＳ紙とＧＳ紙が(7)番目と(8)番目に、単色印刷の用紙Ｐ２のＨＳ紙とＧＳ紙が(9)番目と(10)番目にきている。
【００２２】
多色印刷が可能な用紙Ｔ１のＨＳ紙とＧＳ紙，用紙Ｔ５のＨＳ紙とＧＳ紙とは、前述したようにベィウィンドによって用紙順の変更が可能であるが、他の用紙Ｐ４，Ｐ３，Ｐ２については、この輪転機においては、用紙順が不変であることを前提とする。また、テンションの安定したストレート紙であるＨＳ紙は、なるべく紙コースを変更しないことが好ましいから、半幅の用紙でベイウィンドを使用して紙コースを変更する場合は、ＧＳ紙を優先させる。
さらに、この実施形態の輪転機は、ＧＳ紙用のベィウィンドとＨＳ紙用のベィウィンドが同じ側にあることから、ＧＳ紙とＨＳ紙の両方を半幅用のベィウィンドで移動させる場合は、ＨＳ紙とＧＳ紙の上下関係が逆転することを条件とする（図１２参照）。
【００２３】
また、図１（ａ）には、図１（ｂ）の用紙順(1)〜(10)に対応する番号を付しているが、折り部の手前で、新聞を構成する用紙順(1)〜(10)と同じ用紙順になるように、レールフレーム部１０を通過する各用紙Ｔ５，Ｐ４，Ｐ３，Ｐ２のＨＳ紙，ＧＳ紙及び用紙Ｔ１のＨＳ紙，ＧＳ紙の紙コースが選択されなければならない。この場合、同一用紙においてＨＳ紙とＧＳ紙は、ＨＳ紙が上に、ＧＳ紙が下になることを条件とする。
【００２４】
ここで、レールフレーム部１０のターンバー１０１〜１０７において、多色印刷の用紙Ｔ５のＨＳ紙及びＧＳ紙が選択できる紙コースは、最大で、ターンバー１０１〜１０７の全てである。用紙Ｐ２〜Ｐ４は、用紙Ｔ５の下からレールフレーム部１０に導入されるが、これら用紙の紙コースは、用紙Ｔ５のＨＳ紙及びＧＳ紙が選択した紙コースを除く紙コースで、かつ、上から用紙Ｐ４，Ｐ３，Ｐ２の順になっている。
図１（ａ）に示す例では、多色印刷を行った用紙Ｔ５のＧＳ紙は、上から三番目のターンバー（ターンバー１０３）を通り、ストレートのＨＳ紙は、ターンバー１０２とターンバー１０３の間を通っているから、用紙Ｔ５の一つ下からレールフレーム部１０に導入される用紙Ｐ４のＨＳ紙及びＧＳ紙が選択できる紙コースは、ターンバー１０３より下である。
【００２５】
また、図１（ａ）に示す例では、用紙Ｐ４のＨＳ紙はターンバー１０３とターンバー１０４との間を通り、ＧＳ紙はターンバー１０４を通っている。そのため、用紙Ｐ４の下の用紙Ｐ３が選択できる紙コースは、このターンバー１０４より下となる。
このように、輪転機の機械構成に応じて、各用紙Ｔ５，Ｐ４，Ｐ３，Ｐ２，Ｔ１のＨＳ紙及びＧＳ紙が選択し得る紙ルートを、上記したベイウィンドを使用する上での条件、用紙順、ＨＳ紙，ＧＳ紙の順序等の規制条件とともに、予め制御装置に設定することができる。
【００２６】
［面割の自動設定の処理手順の説明］
次に、本発明の面割の自動設定方法の処理手順について説明する。以下の説明では、まず、電源投入後、紙コース未設定の状態から紙コースの設定を行う場合について、図２のフローチャート及び図３の操作画面を参照しながら説明する。
オペレータは、まず、上流工程から提供された新聞の紙面構成情報に従って、どの頁に多色印刷を行うかを判断する（ステップＳ１）。
次に、電源を投入して、操作画面をディスプレイに表示させる（ステップＳ２）。
【００２７】
電源の投入し、図示しないメインコンソールの操作パネルからメニュー画面／面割表示を選択することで、図３の操作画面が表示される。
図３に示す操作画面２０には、画面上方に、各印刷部Ｔ５，Ｐ４，Ｐ３，Ｐ２，Ｔ１から送り出された用紙Ｔ５，Ｐ４，Ｐ３，Ｐ２，Ｔ１が、ＨＳ紙及びＧＳ紙の別及び各用紙Ｔ５，Ｐ４，Ｐ３，Ｐ２，Ｔ１に割り付けられる頁番号とともに、面割データ２１として一覧表示されるようになっている。
なお、この面割りデータ２１は、前記のメニュー画面／面割表示を選択した段階では表示されない。メニュー画面／面割表示を選択した段階では、図３中の面割データ２１は枠のみの表示となる。
図３の操作画面２０の右上に表示された操作パネル２５の中から、「紙コース設定」スイッチ２５１を押し、さらに、面割データ表示用のスイッチ２５２の中から「オール」ボタンを選択することで、図３中の０３４．０３３．０３０．・・・・００２等の面割データ２１が、前記枠内に表示される。なお、「紙コース設定」のスイッチ２５１を押さないと他のスイッチが機能しないようにして、例えば参照目的で画面を表示させたときに、誤ってスイッチを押しても設定が変わらないようにするのが好ましい。
【００２８】
面割データ２１の下には、印刷しようとする新聞の構成にしたがった色面構成図２６が表示される。図示の例で色面構成図２６には、４０頁の新聞を構成する１０枚の用紙が表示され、用紙Ｔ５，Ｐ４，Ｐ３，Ｐ２，Ｔ１のＨＳ紙及びＧＳ紙ごとに、印刷される紙面の頁番号が配分される。なお、この標準紙コースでは、色面構成図２が表示されれば、オペレータは、容易に、各用紙Ｔ５，Ｐ４，Ｐ３，Ｐ２，Ｔ１のＨＳ紙及びＧＳ紙を区別することができる。
【００２９】
図３に示す例では、色面構成図２６の右側４枚の用紙（用紙Ｔ１のＨＳ紙とＧＳ紙、用紙Ｔ５のＨＳ紙とＧＳ紙、）が多色印刷可能な用紙であり、この用紙が、面割データ２１において印刷部Ｔ１と印刷部Ｔ５とに振り分けられて表示される。
また、残りの用紙についても、印刷部Ｐ４，Ｐ３，Ｐ２に対応して、各用紙Ｐ４，Ｐ３，Ｐ２のＨＳ紙及びＧＳ紙が、面割データ２１に振り分けられて表示される。
このような面割データ２１の一覧表によれば、図１に示すような紙コース図と組み合わせることで、どの用紙にどの頁番号が振り分けられ、どのような紙コースをたどっているかを容易に把握できるという利点がある。
【００３０】
さらに、面割データ２１の上方には、登録パターン番号２２と日時２３が表示される。符号２５は画面上に表示された操作パネルで、紙コース設定用のスイッチ２５１、面割データ表示用のスイッチ２５２、セクション指定用のスイッチ２５３，ベィウィンド指定用のスイッチ２５４が含まれている。
【００３１】
画面上における指定した用紙の移動は、ベィウィンド指定用のスイッチ２５４の、「Ｔ５・ＨＳ」，「Ｔ５・ＧＳ」，「Ｔ１・ＧＳ」のいずれかを選択して「＜＜」スイッチ又は「＞＞」スイッチを押すことで行うことができる。「全幅ＢＷ」スイッチは、用紙Ｔ５のＧＳ紙・ＨＳ紙の全幅を「＜＜」又は「＞＞」操作によって、同時に移動させることができるものである。
【００３２】
また、図３の面割データ２１の左上には、全ての印刷部Ｔ５，Ｐ４，Ｐ３，Ｐ２，Ｔ１と、この印刷部Ｔ５，Ｐ４，Ｐ３，Ｐ２，Ｔ１に用紙を供給する給紙部にセットされた巻き取り紙の種類（Ａ巻：新聞４頁巾、Ｃ巻：３頁巾、Ｄ巻：２頁巾）との関係が登録パターン番号２２として表示される。登録パターン番号２２は、図３の例では、「４００ＡＡＡＡＡ・・・」で示されている。「４００ＡＡＡＡＡ・・・」のうち、最初の数字「４０」が新聞を構成する紙面の頁数（４０頁）を指し、次の「ＡＡＡＡＡ」が、五つの給紙部にセットされた巻き取り紙の種類を指している。この場合は、給紙部に取り付けられる五つの巻き取り紙が、対応する印刷部Ｔ５，Ｐ４，Ｐ３，Ｐ２，Ｔ１の順番で、新聞４頁巾のＡ巻であることを示している。
【００３３】
面割データ２１のうち、左欄のＧＳ，ＧＣ，ＨＣ，ＨＳが、版胴における印刷面を示している。
図４は、一組の版胴１０ＳＤ，１３ＳＤと用紙に印刷される紙面の頁番号との関係を説明する斜視図である。
図４に示すように、新聞４頁巾のＡ巻の用紙に対して、一つの版胴１０ＳＤ（１３ＳＤ）で、片側四頁分の印刷が一度に行われる。図４では、一方の版胴１０ＳＤで、３８頁，３頁，４０頁，１頁の紙面が一度に印刷される状態を示している。版胴は、図示するように対向して二つ配置されているので、この二つの版胴１０ＳＤ，１３ＳＤによって、一枚の用紙の両面に、八頁分の紙面の印刷が一度に行われるわけである。
なお、ＨＳ，ＨＣは、印刷部を使った頁建てで基本となるストレートのもの（ＨＳ紙）の印刷を行う部分で、ＧＳ，ＧＣは、その下側に反転されずに入るもの（ＧＳ紙）の印刷を行う部分である。
【００３４】
面割データ２１の下の色面構成図２６は、新聞を構成する各用紙（この場合は１０枚）と、各用紙に割り付けられる頁数（１頁〜４０頁）が表示される。また、印刷部Ｔ５，Ｐ４，Ｐ３，Ｐ２，Ｔ１から送り出された用紙Ｔ５，Ｐ４，Ｐ３，Ｐ２，Ｔ１のＨＳ紙，ＧＳ紙のそれぞれが、新聞を構成する用紙のうちのどの用紙に該当するかがわかるように表示される。つまり、色面構成図２６上のそれぞれの用紙が、面割データ２１のどの用紙のものに該当するかが、一目で判るようになっているわけである。
【００３５】
例えば、図３の面割データ２１では、印刷部Ｔ１に該当する用紙Ｔ１は太線で示されているが、これに割り当てられる用紙が、色面構成図２６において一番右側と二番目の用紙に該当することがわかる。そして、この用紙のＨＳ紙及びＧＳ紙のそれぞれに、１頁、２頁、３９頁、４０頁、３頁、４頁、３７頁、３８頁の各紙面が印刷されることを示している。
【００３６】
なお、図３の例では、線の種類によって、どの用紙Ｔ５，Ｐ４，Ｐ３，Ｐ２，Ｔ１であるかを区別するようにしているが、各用紙を色分けすることで、色面構成図２６の用紙と面割データ２１の用紙とが対応するようにしてもいい。
そして、この輪転機の機械構成では、標準紙コースの場合に、色面構成図上の紙がどの印刷部で印刷された用紙であるかが判れば、オペレータは、ＨＳ紙，ＧＳ紙の区別をする表示がなくても、１，３，５，７，９，１１，１３，１５，１７，１９頁の紙面を含む用紙のうち、交互に１，５，９，１３，１７頁がＨＳ紙、３，７，１１，１５，１９頁がＧＳ紙として判断できるようになっている。
【００３７】
上記のように操作画面を表示させた後（図２のステップＳ２）、操作画面の操作ボタンを押して、印刷しようとする新聞紙の紙面構成にしたがって、紙コースを設定する（ステップＳ３）。この紙コースの設定は、多色印刷を行う用紙を、操作画面２０上でＴ５又はＴ１に割り付けることで行う。
図３に示す例（標準面割り）では、４０頁建てで、紙面の１，２，３，４，５，６，７，８頁とその対抗面である４０，３９，３８，３７，３６，３５，３４，３３頁に多色印刷が可能な新聞の紙面を構成する場合を示している。
図３の操作画面２０において最下段の登録スイッチ２７の中から、メニュー／紙コース設定を選択して押すと、図１又は図１５に示すような紙コース図面に切り替わり、全ての用紙Ｔ５，Ｐ４，Ｐ３，Ｐ２，Ｔ１のＨＳ紙及びＧＳ紙の紙コースが自動的に決定される。
【００３８】
紙コースの自動決定に先立って、図３の色面構成図２６が形成されるたびに、全ての用紙Ｔ５，Ｐ４，Ｐ３，Ｐ２，Ｔ１のＨＳ紙及びＧＳ紙について、紙コースの選択が行われる（ステップＳ４）。この選択は、選択可能な紙コースの条件に従って行われる。
なお、この実施形態では、制御装置は、図２のステップＳ４で選択された紙コースから、多色印刷を行う用紙Ｔ５，Ｔ１についてベイウィンドによる割り込み操作が必要であるかを判断する（ステップＳ５）。ベイウィンドを使用する用紙はＧＳ紙であることが好ましいから、制御装置には予めベイウィンドを通す用紙がＧＳ紙であることが設定されている。制御装置は、図２のステップＳ５でベイウィンドによる割り込みを行うかどうかを判断し、割り込みを行う場合は、その用紙が全幅紙であるかどうかを判断する（ステップＳ６）。
【００３９】
全幅紙でない場合は、半幅紙であると判断する。また、半幅紙である場合、その用紙がＧＳ紙かどうかを判断し（ステップＳ１０）、ＧＳ紙でない場合は、ＨＳ紙，ＧＳ紙の双方の割り込みを行うかどうかを判断するとともに、ＨＳ紙，ＧＳ紙の順序を判断する（ステップＳ１１）。前記したように、この実施形態の輪転機では、図１２に示すようにＨＳ紙とＧＳ紙の上下関係が逆転するようなベイウィンド配置となっている。そのため、ＨＳ紙，ＧＳ紙の順序を判断した結果、ＧＳ紙がＨＳ紙の下にきている場合は、この紙コースは有効ではないとして、図２のステップＳ４に戻り、再度紙コースの選択を行う。
【００４０】
ステップＳ５で、ベイウィンドを使った割り込みが必要ないと判断した場合、若しくは、ベイウィンドを使って割り込みを行う場合に、ステップＳ６で割り込みを行う用紙が全幅である、又はステップＳ１０で半幅でＧＳ紙である、若しくは、ステップＳ１１でＨＳ紙，ＧＳ紙の両幅で、ＧＳ紙がＨＳ紙の上にきている、と判断した場合には、いずれの用紙Ｔ５，Ｐ４，Ｐ３，Ｐ２，Ｔ１のＨＳ紙及びＧＳ紙についても紙コースに干渉が生じていないことを条件に（ステップＳ７）、各用紙Ｔ５，Ｐ４，Ｐ３，Ｐ２，Ｔ１のＨＳ紙及びＧＳ紙の紙コースが決定される（ステップＳ８）。
【００４１】
この後、図３の操作画面の登録スイッチ２７の「メニュー／紙コース」設定スイッチを押すことで、図１又は図１５に示すような紙コース図が表示される（ステップＳ９）。また、図１又は図１５に示すような紙コース図から、登録スイッチ２７の「面割データ」を押すことで、図３に示すような面割データ２１を表示させることも可能である（ステップＳ９）。図１又は図１５に示すような紙コース図を表示させるか、若しくは、図３に示すような面割りデータ２１を表示させるかは、オペレータの任意である。
【００４２】
図３に表示された面割データ２１等は、プリンターによって印刷することが可能である。また、任意に、登録スイッチ２７の中の「紙コース設定」スイッチを押すことで、図３に表示された面割データ２１に従った紙コースを、図１５や図１に示すような紙コース図に表示切替することも可能である。これにより、各用紙Ｔ５，Ｐ４，Ｐ３，Ｐ２，Ｔ１のＨＳ紙及びＧＳ紙の紙コースを、一目で確認することが可能になる。
【００４３】
この後、再び登録スイッチ２７の「面割データ」スイッチを押して図３の操作画面に戻し、色面構成図２６と上流からの印刷情報を確認した後、登録スイッチ２７の中の「パターンＮＯ登録」スイッチを選択して、オペレータが登録パターン番号２２の末尾２桁を入力して登録する。この末尾２桁が、オペレータの管理用整理番号となる。
以後の印刷で同じ印刷形態の場合には、この管理用整理番号、あるいは、先に説明したようにプログラムが自動作成した「４００ＡＡＡ・・・」の登録番号を呼び出すことで、簡単に紙コースの設定を行うことが可能になる。
【００４４】
［印刷形態の切り替え例１］
次に、図３の面割データ２１に基づく紙面構成から、別の紙面構成の新聞に印刷を切り替える場合について説明する。
以下では、４０頁建ての新聞のうち、３２頁を含む用紙に多色印刷を行う場合について説明する。
この場合、初期画面は、前回の新聞印刷で使用した図３の面割データ（標準面割りの面割りデータ）２１である。図３の面割データでは、３２頁の紙面は、印刷部Ｐ４，版胴１０ＳＤ，ＨＳの用紙に属している。オペレータは、ベィウィンドによって紙コースの変更を行うのは、通常はＧＳ紙であることから、図３に示す操作パネル２５のベィウィンド指定用のスイッチ２５４の中から「Ｔ５・ＧＳ」を選択して、「<<」スイッチを押す。これにより、面割データ２１のＴ５・ＧＳの用紙が切り替わり、３２頁を含む用紙が表示される。
この後、図示しない輪転機の制御装置が、他の用紙の割り付けを行い、面割データを作成する。
【００４５】
図５は、制御装置が別の割り付けを行って面割データを作成する処理手順の一例を説明するためのもので、図５（ａ）は割り付け前の標準状態を、図５（ｂ）は割り付け後の状態を示している。
また、図５では、説明の便宜上、面割データ上の各用紙に、図１（ｂ）に示した用紙順（１）〜（１０）の数字を割り付けて説明を行う。例えば、３２頁を含む用紙Ｐ４（ＨＳ紙）は、ここでは用紙（５）で表される。
オペレータがスイッチ２５４の中から「Ｔ５・ＧＳ」を選択して、「<<」スイッチを押すと、制御装置は、図５（ａ）に示すように、Ｐ４，ＨＳの用紙（５）と、Ｔ５，ＧＳの用紙（４）を入れ替える。
【００４６】
この場合の面割及び色面構成は、図５（ｂ）に示すとおりである。この場合は、ベイウィンドを使って割り込みを行う用紙（５）がＧＳ紙になっているから、制御装置は、次に、図５（ｂ）の面割データに従って紙コースを設定した場合に、各用紙Ｔ５，Ｐ４，Ｐ３，Ｐ２，Ｔ１の紙コースが互いに干渉しないかどうか、つまり、有効な紙コースが存在するかどうかを判断する。
この判断の手順を、図６を参照しながら説明する。
印刷部Ｔ５から送り出された用紙Ｔ５は、ターンバー１０１〜１０７のいずれの紙コースも選択可能である。
【００４７】
図６に示すように、今、制御装置が、用紙Ｔ５を二番目のターンバー１０２に割り付けたとする。すると、印刷部Ｐ４から送り出された用紙Ｐ４の紙コースは、ターンバー１０２よりも下のターンバー１０３〜１０７のいずれかに制限される。また、図５（ｂ）の面割データ及び色面構成に従えば、ベィウィンドを使って紙コースの変更を行った用紙Ｔ５のＧＳ紙は、用紙Ｐ４のＨＳ紙よりも下方に割り付けられなければならない。
【００４８】
そこで、制御装置は、図６に示すように、用紙Ｐ４のＨＳ紙をターンバー１０３とターンバー１０２との間に通し、ベィウィンドを使って用紙Ｔ５のＧＳ紙をターンバー１０３に割り付けるものとする。用紙Ｐ４のＧＳ紙は、用紙Ｔ５のＧＳ紙より下に割り付けられなければならないから、ここでは、図６に示すように、用紙Ｐ４のＧＳ紙をターンバー１０４に割り付けるものとする。
この割り付け例では、用紙Ｔ５のＨＳ紙は、用紙順（３）の用紙としてターンバー１０２とターンバー１０１との間から導出され、用紙Ｐ４のＨＳ紙は、用紙順（４）の用紙として、ターンバー１０３とターンバー１０２との間から導出される。また、用紙Ｔ５のＧＳ紙は、用紙順（５）の用紙としてターンバー１０３から導出され、用紙Ｐ４のＧＳ紙は、用紙順（６）の用紙としてターンバー１０４から導出される。
以下、用紙Ｐ３をターンバー１０５に割り付け、用紙Ｐ２をターンバー１０６に割り付ける。
【００４９】
次に、この実施形態において制御装置は、ターンバー１０２とターンバー１０１との間から導出された用紙順（３）の用紙（用紙Ｔ５のＨＳ紙）を、最も近いコンペンセータ１２３に割り付けるものとする。また、ターンバー１０３とターンバー１０２との間から導出された用紙順（４）の用紙（用紙Ｐ４のＨＳ紙）を、コンペンセータ１２３の一つ下のコンペンセータ１２４に割り付ける。このようにして、用紙順（５）〜（１０）の用紙を、ターンバー１２５〜１３０に順次割り付ける。
【００５０】
この割り付けの過程では、用紙順（３）〜（１０）の用紙には、いずれにも干渉が生じない、つまり、有効な紙コースが存在することから、制御装置は、この選択における紙コースを有効なものとして決定し、この紙コースに従った図５（ｂ）の面割データを有効なものの一つとして候補に挙げる。
【００５１】
このように、制御装置は、色面構成図に基づき、組み合わせ可能な紙コースの一部又は全てについて干渉が生じるか否かの検証を行い、有効な紙コースと面割データとを一つ又は複数候補として挙げる。そして、例えば、最初に作成された候補（この実施形態では図５（ｂ）の面割データ及び紙コース）を画面上に表示させる。オペレータは、最初に表示された紙コース及び面割を採択してもよいし、適宜に、面割データを他の候補に切り換えて、最適なものを採択するようにしてもよい。
【００５２】
［印刷形態の切り替え例２］
図７は、図３の面割データ２１に基づく紙面構成から、別の紙面構成の新聞に印刷を切り替える紙コース切替のさらに別の態様を示す図である。
この場合は、１９，２０，２１，２２頁を含む用紙に多色印刷を行うものとする。
図３の面割データ２１において、１９，２０，２１，２２頁を含む用紙は、Ｐ２・ＧＳに位置しているから、ベィウィンド指定用のスイッチ２５４の、「Ｔ５  ＧＳ」を選択して「＜＜」スイッチを押す。
制御装置は、紙コース選択の一形態として、図７（ａ）の矢印に示すように、各用紙（４）（５）（６）（７）（８）（９）を順次移動させる処理を行う。これにより、１９，２０，２１，２２頁を含む用紙（用紙（１０））が、左方に三コマ移動した形となり、Ｔ５・ＧＳに位置する。
【００５３】
なお、この図７の面割データも、制御装置が行う処理の一例を説明する便宜上のものであり、実際の画面には表示されない。
図７（ｂ）は、図７（ａ）の各用紙を移動させた後の面割データを示す図である。
図７（ｂ）の面割データでは、色面構成図に示すように、用紙順（４）〜（９）の用紙まで、印刷部Ｐ４，Ｐ３，Ｐ２から送り出された用紙Ｐ４，Ｐ３，Ｐ２が順番に並んだ状態であり、干渉は生じない。用紙Ｔ５のＧＳ紙はベィウィンドによって用紙Ｐ４，Ｐ３，Ｐ２の一番下に位置し、他の用紙と干渉することがない。よって、この紙コースをこの切替形態における紙コースとして決定することができる。
【００５４】
この場合も、上記と同様に制御装置は他にも紙コースと面割データの候補を複数作成し、最初に作成した紙コースと面割データとを画面に表示させる。オペレータは、画面を切り換えることで、他の紙コース及び面割データを選択することが可能である。
なお、図８は、この印刷形態の表示画面を、図３に示す操作画面２０と同様の画面に表示させた状態を示す図で、図９は、図８の操作画面と適宜に切替表示される画面であって、図８の面割データ２１にしたがって紙コースを表示する図である。
【００５５】
［印刷形態の切り替え例３］
図１０は、図３の操作画面２０において、ベィウィンド指定の「全幅BW」スイッチ２５４を操作して印刷形態の切り替えを行う一例を示す図である。ここで、図１０（ａ）は標準状態を、図１０（ｂ）は割り付け後を示している。
なお、「全幅BW」スイッチ２５４を操作して印刷形態の切り替えを行うには、レールフレーム部に全幅のベィウィンドを備えていることが条件となる。
【００５６】
図１０の説明では、紙面の２９，３０，３１，３２頁に多色印刷を行うものとする。この頁は、Ｐ４のＨＳ紙用紙（５）及び同ＧＳ紙である用紙（６）にまたがっているから、Ｐ４の用紙の全幅をＴ５の用紙と入れ替えればよい。そこで、オペレータは、「全幅BW」スイッチ２５４を操作して、Ｔ５の用紙（３）（４）とＰ４の用紙（５）（６）とをそのまま入れ替える操作を行う。
これにより、ベィウィンドによって用紙Ｔ５の全幅が用紙Ｐ４と用紙Ｐ３の間に割り込み、用紙（５）及び用紙（６）が、図１０（ｂ）に示すように、Ｔ５のＨＳ及びＧＳに位置する。
【００５７】
［印刷形態の切り替え例４］
図１１は、図３の面割データ２１に基づく紙面構成から、別の紙面構成の新聞に印刷を切り替える紙コース切替のさらに別の態様を示す図である。
この場合は、３１，３２，３３，３４頁を含む用紙に多色印刷を行うものとする。
図３の面割データ２１において、３１，３２，３３，３４頁を含む用紙は、Ｐ４・ＨＳに位置しているから、ベィウィンド指定用のスイッチ２５４の、「Ｔ５  ＨＳ」を選択して「＜＜」スイッチを押す。
制御装置は、紙コース選択の一形態として、図１１（ａ）の矢印に示すように、用紙（３）と用紙（５）とを入れ替える処理を行う。
【００５８】
なお、この図１１の面割データも、制御装置が行う処理の一例を説明する便宜上のものであり、実際の画面には表示されない。
図１１（ｂ）は、図１１（ａ）の処理にしたがって用紙を移動させた後の面割データを示す図である。
図１１（ｂ）の面割データでは、色面構成図に示すように、Ｔ１の用紙（１）（２）とＴ５のＧＳ紙（４）との間に、Ｐ４のＨＳ紙（用紙（３））が位置している。また、Ｔ５のＧＳ紙（用紙（４））とＨＳ紙（同（５））とは、ＧＳ紙の方が上に来ている。
【００５９】
これを、図２のフローチャートにしたがって説明すると、ステップＳ６では、ベィウィンドによって移動させる用紙が全幅でないと判断する。この判断は、用紙Ｐ４のＧＳ紙及びＨＳ紙と、用紙Ｔ５との関係によって判断することができる。すなわち、この例の場合では、用紙Ｐ４のＧＳ紙とＨＳ紙の間に用紙Ｔ５（ＨＳ紙及びＧＳ紙）が位置しているので、スリッターよりも上流では、ベィウィンドにかけることができない。つまり、ステップＳ６でベィウィンドによって移動させる用紙が全幅でないと判断するわけである。
この後、ステップＳ１０では、ＧＳ紙とＨＳ紙の両方をベィウィンドによって移動させた場合、ＧＳ紙とＨＳ紙の順序が、ＧＳ紙が上でＨＳ紙が下であるかどうかを判断する。
【００６０】
この実施形態の輪転機では、ＨＳ紙用のベィウィンドＢＡとＧＳ紙用のベィウィンドＢＢが、図１２に示すような位置関係にあるベィウィンドＢＡ，ＢＢによってＨＳ紙とＧＳ紙を移動させると、その上下の位置関係が反転するためである。
図１１（ａ）のように用紙（３）と用紙（５）を入れ替えると、図１１（ｂ）の色面構成に示すように、移動した用紙Ｔ５のＧＳ紙が上に、ＨＳ紙が下になっているため、図２のステップＳ１１の要件を満たすことになり、ステップＳ７で紙コースに干渉が生じていないことを条件に、紙コースを決定する。
【００６１】
［印刷形態の切り替え例５］
図１３は、図３の４０頁建て紙面構成から、３６頁建ての紙面構成に印刷を切り替える場合の切替手順を説明する図である。
図１３は、３６頁版で、最大１６頁の多色印刷が可能な新聞の印刷を行う場合の面割及び色面構成を示す図である。
この場合は、図１３（ａ）〜（ｃ）に示すように、用紙一枚分を図３の面割から除去した形になっている。除去する用紙は、ストレート紙であるＨＳ紙より、ＧＳ紙を優先し、用紙Ｐ２のＧＳ紙（図１３（ａ））、用紙Ｐ３のＧＳ紙（図１３（ｂ））又は用紙Ｐ３のＧＳ紙（図１３（ｃ））のいずれかである。
【００６２】
この紙面構成の場合は、面割データ２１の左上に示すように、使用する巻き取り紙が制御装置によって自動決定される。用紙を除去した紙コース上の給紙部にセットする巻き取り紙は、２頁幅のＤ巻である。その他の給紙部は、先の実施形態と同様に、Ａ巻である。すなわち、オペレータが「オール」画面から任意のＧＳ紙を除去する操作を行うと、巻き取り紙に関する登録パターンが自動設定されるわけである。そして、例えば、図１３（ａ）の場合には、面割りデータ２１の左上に、「ＡＡＡＤＡ」のように、給紙部ごとの巻き取り紙の種類が示される。
図１３（ａ）の面割データの下に色面構成図を示すが、これは基本的には、図３に示した標準コースの色面構成図と同じである。
したがって、３６頁版の場合は、図１３（ａ）〜（ｃ）のいずれかを、標準の面割とする。そして、紙面構成に変更があった場合には、先に説明した同様の手順で、用紙の入れ替えを行い、紙コースの決定と面割の決定を行う。
【００６３】
［プログラムの説明］
なお、上記した本発明の設定方法は、この設定方法を実行するための紙コース設定プログラムを輪転機の制御装置にインストールして実行することで、実施が可能になる。
このプログラムは、用紙Ｔ５，Ｐ４，Ｐ３，Ｐ２，Ｔ１のＨＳ紙，ＧＳ紙の各々について、予め設定された紙コースの条件を、紙コース条件情報としてデータベース等に登録しておく。前記紙コース条件情報には、紙コースの条件について、先に、図１を参照しながら説明したように、用紙順やベィウィンドを使用する場合のＧＳ紙、ＨＳ紙の優先順位、ベイウィンドを使って全幅、半幅、両幅の用紙を移動させる場合の条件、ＨＳ紙とＧＳ紙の順序などの条件が含まれる。
また、このプログラムは、紙面構成に基づいて決定された多色印刷頁情報に従い、多色印刷を行う頁を含む半幅（ＧＳ紙又はＨＳ紙）若しくは全幅（ＧＳ紙及びＨＳ紙）の用紙Ｔ５，Ｔ１について、複数の紙コースの中から一つの紙コースを選択して割り付ける処理を行う。
【００６４】
この処理では、例えば、図１において、用紙Ｔ５の選択可能な紙コース（ターンバー１０１〜１０７）の中から、ターンバー１０２の紙コースを選択する。
次いで、このプログラムは、前記一の紙コースを除く他の紙コースの中から、単色印刷を行う他の用紙Ｐ４，Ｐ３，Ｐ２のＧＳ，ＨＳ紙の各々について紙コースを選択して割り付ける処理を行う。
そして、用紙Ｔ５，Ｐ４，Ｐ３，Ｐ２，Ｔ１のＧＳ，ＨＳ紙の各々について、予め設定された前記の紙コース条件情報に従って、選択された紙コース上で、一の用紙が他の用紙と干渉しないかどうかを判断する処理を行う。
【００６５】
この判断処理の結果、全ての用紙Ｔ５，Ｐ４，Ｐ３，Ｐ２，Ｔ１のＧＳ，ＨＳ紙について選択された全ての紙コースに干渉が生じないと判断すれば、当該紙コースを、各用紙の紙コースとして決定する処理を行う。
また、このプログラムは、図３に示したように、多色印刷を行う頁を含む用紙を、多色印刷を行うための給紙部や印刷部に相対的に移動させるための操作画面２０を表示させる処理を行う。
【００６６】
オペレータが、紙面構成に従って多色印刷を行う頁を含む用紙を、例えば操作画面２０上のＴ５に割り付ける操作を行うと、プログラムは、図６や図７、図１０に示したような用紙の移動処理を行い、決定された紙コースと用紙の割付データとを画面に表示可能にする。表示の形態には、先にも説明したように、図３に示したような面割データ２１や図１等に示した紙コース図が含まれる。
また、プログラムは、紙コースと用紙との組み合わせである面割データ２１から、給紙部にセットする巻き取り紙の種類を決定する処理を行う。この処理は、先に図１３を参照しながら説明したとおりである。
これらの処理により、熟練度の低いオペレータであっても、上流工程から提供された紙面構成にしたがって操作を行うだけで、全用紙の面割や詳細な紙コース、給紙部にセットすべき巻き取り紙の種類等を簡単に判断することができる。
【産業上の利用可能性】
【００６７】
本発明の好適な実施形態について説明したが、本発明は上記の説明に限定されるものではない。
例えば、上記の説明では、折り部の一側（図面左側）に多色印刷用の用紙を送り出する印刷部Ｔ５と、単色印刷用の用紙を送り出する印刷部Ｐ４，Ｐ３，Ｐ２がこの順で配置され、折り部の他側（図面右側）に、多色印刷用の用紙を送り出する印刷部Ｔ１が配置された輪転機を例に挙げて説明したが、折り部に対して同じ側に複数の印刷部を有するものや、ターンバーの数が異なる他のあらゆる形態の輪転機に適用が可能である。
【００６８】
また、図３等に示した紙コース設定のための操作画面は一例であり、他の形態の操作画面としてもよいことは勿論である。
さらに、図３の操作画面、図８の操作画面と適宜に切替表示される紙コース図は、図１や図９に示すようなレールフレーム部１０の拡大図であってもよいが、図１５に示すような輪転機の全体図であってもよい。また、適宜に、レールフレーム部１０の拡大図と輪転機の全体図とを選択的に表示させるようにしてもよい。
【図面の簡単な説明】
【００６９】
【図１】給紙部から印刷部を経て送り出された用紙が選択可能な紙コースを示す図で、レールフレーム部の拡大図である。
【図２】面割の自動設定方法の処理手順を説明するフローチャートである。
【図３】紙コースの自動設定を行うための操作画面を示す図である。
【図４】一組の版胴と用紙に印刷される紙面の頁数との関係を説明する斜視図である。
【図５】割り付けを行って面割データを作成する処理手順の一例を説明するためのもので、図５（ａ）は割り付け前の標準状態を、図５（ｂ）は割り付け後の状態を示している。
【図６】各用紙の紙コースが互いに干渉しないかどうかを判断する手順を説明する図である。
【図７】図３の面割データに基づく紙面構成から、別の紙面構成の新聞に印刷を切り替える紙コース切替のさらに別の態様を示す図である。
【図８】この印刷形態の表示画面を表す図である。
【図９】この印刷形態の紙コースを表す図である。
【図１０】図３の操作画面において、ベィウィンド指定の「全幅BW」スイッチを操作して印刷形態の切り替えを行う一例を示す図である。
【図１１】紙コース切替のさらに別の態様を示す図である。
【図１２】この実施形態の輪転機におけるＨＳ紙用のベィウィンド及びＧＳ紙用のベィウィンドの配置関係と、両幅を移動させた後のＨＳ紙とＧＳ紙の位置関係を示す概略図である。
【図１３】４０頁建て紙面構成から、３６頁建ての紙面構成に印刷を切り替える場合の切替手順を説明する図である。
【図１４】色面構成表の一部を示す図である。
【図１５】輪転機の一例を示す図である。
【符号の説明】
【００７０】
１０  レールフレーム部
２０  操作画面
２１  面割データ
２２  登録パターン番号
２３  日時
２５  操作パネル
２６  色面構成図
２７  登録スイッチ
１０１〜１０７  ターンバー
１１１〜１１８  ガイドローラ
１２１〜１３１  コンペンセータ
【図１】
2005074770.tif 000003
【図２】
2005074770.tif 000004
【図３】
2005074770.tif 000005
【図４】
2005074770.tif 000006
【図５】
2005074770.tif 000007
【図６】
2005074770.tif 000008
【図７】
2005074770.tif 000009
【図８】
2005074770.tif 000010
【図９】
2005074770.tif 000011
【図１０】
2005074770.tif 000012
【図１１】
2005074770.tif 000013
【図１２】
2005074770.tif 000014
【図１３】
2005074770.tif 000015
【図１４】
2005074770.tif 000016
【図１５】
2005074770.tif 000017